【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行い、遊技の結果が特定結果となったときに可変入賞装置が開放されるラウンド遊技を実行する特定遊技状態に制御する遊技機であって、
前記特定遊技状態として、前記ラウンド遊技を特別回数実行する第１特定遊技状態と、前記ラウンド遊技を前記特別回数実行するとともに、前記第１特定遊技状態とは前記ラウンド遊技における前記可変入賞装置の開放期間が異なる第２特定遊技状態と、があり、
前記可変入賞装置の開放を制御する可変入賞装置制御手段と、
前記特定遊技状態において所定の報知を行う報知手段と、を備え、
前記可変入賞装置制御手段は、
前記第１特定遊技状態を開始してから全ての前記ラウンド遊技において第１開放パターンで前記可変入賞装置を開放する第１制御手段と、
前記第２特定遊技状態を開始してから前記ラウンド遊技の実行回数が所定回数に達するまでの前記ラウンド遊技において前記第１開放パターンで前記可変入賞装置を開放するとともに、前記ラウンド遊技の実行回数が所定回数に達した後の残りの前記ラウンド遊技において前記第１開放パターンよりも開放時間が短い第２開放パターンで前記可変入賞装置を開放する第２制御手段と、を含み、
前記報知手段は、前記第１開放パターンで前記可変入賞装置を開放している前記ラウンド遊技において前記ラウンド遊技の回数の報知を行い、前記第２開放パターンで前記可変入賞装置を開放している前記ラウンド遊技において前記ラウンド遊技の回数の報知を行わずに前記特定遊技状態が終了することの報知を行う
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、遊技媒体を用いて遊技を行い、遊技の結果が特定結果となったときに可変入賞装置が開放されるラウンド遊技を実行する特定遊技状態に制御する遊技機であって、前記特定遊技状態として、前記ラウンド遊技を特別回数実行する第１特定遊技状態と、前記ラウンド遊技を前記特別回数実行するとともに、前記第１特定遊技状態とは前記ラウンド遊技における前記可変入賞装置の開放期間が異なる第２特定遊技状態と、があり、前記可変入賞装置の開放を制御する可変入賞装置制御手段と、前記特定遊技状態において所定の報知を行う報知手段と、を備え、前記可変入賞装置制御手段は、前記第１特定遊技状態を開始してから全ての前記ラウンド遊技において第１開放パターンで前記可変入賞装置を開放する第１制御手段と、前記第２特定遊技状態を開始してから前記ラウンド遊技の実行回数が所定回数に達するまでの前記ラウンド遊技において前記第１開放パターンで前記可変入賞装置を開放するとともに、前記ラウンド遊技の実行回数が所定回数に達した後の残りの前記ラウンド遊技において前記第１開放パターンよりも開放時間が短い第２開放パターンで前記可変入賞装置を開放する第２制御手段と、を含み、前記報知手段は、前記第１開放パターンで前記可変入賞装置を開放している前記ラウンド遊技において前記ラウンド遊技の回数の報知を行い、前記第２開放パターンで前記可変入賞装置を開放している前記ラウンド遊技において前記ラウンド遊技の回数の報知を行わずに前記特定遊技状態が終了することの報知を行う。
また、複数種類の識別情報（例えば、第１特別図柄、第２特別図柄）の可変表示を開始させた後に表示結果を導出表示する可変表示部（例えば、第１特別図柄表示器８ａ、第２特別図柄表示器８ｂ）を備え、該可変表示部に導出表示された識別情報の表示結果があらかじめ定められた特定表示結果（例えば、大当り図柄）となったときに可変入賞装置（例えば、特別可変入賞球装置２０）が開放されるラウンド遊技を実行する特定遊技状態（例えば、大当り遊技状態）に制御する遊技機（例えば、パチンコ遊技機１）であって、前記特定遊技状態として、前記ラウンド遊技を特別回数（例えば、１６回）実行する第１特定遊技状態（例えば１６Ｒ非確変Ａ大当り、１６Ｒ非確変Ｂ大当り、１６Ｒ非確変Ｃ大当りの大当り遊技状態）と、前記ラウンド遊技を前記特別回数実行するとともに、前記第１特定遊技状態とは前記ラウンド遊技における前記可変入賞装置の開放回数（１ラウンドにおける閉鎖状態から開放状態になる回数：特定遊技状態における閉鎖状態から開放状態になる回数と捉えてもよい）、または、前記可変入賞装置の開放時間（開放状態になっている期間）の少なくとも一方が異なる第２特定遊技状態（例えば１６Ｒ確変Ｂ大当り、１６Ｒ確変Ｃ大当り、１６Ｒ確変Ｄ大当りの大当り遊技状態）と、があり、前記可変入賞装置の開放を制御する可変入賞装置制御手段（例えば、遊技制御用マイクロコンピュータ５６０におけるステップＳ３０５，Ｓ３０６を実行する部分）と、前記特定遊技状態に制御するか否かと、前記特定遊技状態に制御するときに、前記第１特定遊技状態、または、前記第２特定遊技状態のいずれに制御するかと、を識別情報の表示結果が導出表示されるよりも前に決定する事前決定手段（例えば、遊技制御用マイクロコンピュータ５６０におけるステップＳ６１の処理を実行する部分）と、該事前決定手段による決定結果にもとづいて、前記識別情報の可変表示を実行する可変表示実行手段（例えば、演出制御用マイクロコンピュータ１００におけるステップＳ８０１，Ｓ８０２，Ｓ８０３の処理を実行する部分）と、を備え、前記第１特定遊技状態は、前記可変入賞装置制御手段により第１開放パターン（例えば１ラウンド３０秒間大入賞口を開放させる開放態様）で前記可変入賞装置が開放されるラウンド遊技を所定回数（例えば、３回、８回、１１回）実行し、前記所定回数に達した後、前記第１開放パターンよりも開放時間が短い第２開放パターン（例えば１ラウンド０．５秒間大入賞口を開放させる開放態様）で前記可変入賞装置が開放されるラウンド遊技を前記特別回数に達するまでの特定回数（例えば、１３回、８回、５回）実行するものであり、前記第２特定遊技状態は、前記可変入賞装置制御手段により前記第１開放パターンで前記可変入賞装置が開放されるラウンド遊技を前記所定回数実行し、前記所定回数に達した後のラウンド遊技（例えば４ラウンド、９ラウンド、１２ラウンド）において前記第２開放パターンで前記特定回数前記可変入賞装置を開放し、該ラウンド遊技が終了した後、前記第１開放パターンで前記可変入賞装置が開放されるラウンド遊技を前記特別回数に達するまで実行するものであり、前記特定遊技状態中、前記可変入賞装置制御手段により前記第１開放パターンで前記可変入賞装置が開放されるラウンド遊技を前記所定回数実行した後、前記可変入賞装置制御手段により前記第２開放パターンで前記可変入賞装置が開放される間又は開放された後の少なくともいずれかで特定演出（例えば大当り中演出）を実行する特定演出実行手段（例えば演出制御用マイクロコンピュータ１００におけるステップＳ１９３４，Ｓ１９３９の処理を実行する部分）と、前記可変入賞装置制御手段により前記第２開放パターンで前記可変入賞装置が開放される開始タイミングを、複数種類から選択する開始タイミング選択手段（例えば、遊技制御用マイクロコンピュータ５６０におけるステップＳ７２，Ｓ７３を実行する部分）と、をさらに備え、前記特定演出実行手段は、前記第１特定遊技状態では、前記特定演出として第１特定演出（例えば、図７０（Ａ−４）、（Ａ−５）または（Ｂ−４）、（Ｂ−５）に示すように、大当り遊技状態が終了することを報知する大当り中演出）を実行し、前記第２特定遊技状態では、前記特定演出として前記第１特定演出とは異なる第２特定演出（例えば図７０（Ｃ）、（Ｄ）に示すように、大当り遊技状態が継続することを報知する大当り中演出）を実行するとともに、前記開始タイミング選択手段により選択された前記開始タイミング（大当り種別に対応したタイミング）にもとづいて、前記可変入賞装置が開放される間又は開放された後の少なくともいずれかで前記特定演出を実行するようにしてもよい。
このような構成によれば、特定遊技状態におけるラウンド遊技の回数が同じでも、得られる遊技価値が異なるので遊技にメリハリができ遊技の興趣が向上する。また、特定演出によりいずれの特定遊技状態であるかを示唆できるので、遊技者が特定演出に注目するようになり遊技の興趣が向上する。